(57)【特許請求の範囲】
【請求項１】
エレベータピット上の最下階に設けられた一対の乗場ドアパネルと、
前記一対の乗場ドアパネル側のエレベータピット側壁に設けられたピット梯子とを備え、
少なくとも一方の乗場ドアパネル裏面に、垂直方向に延びる専用手摺りを設置し、
乗場ドアパネル裏面に設けられた専用手摺りの下部に、ストッパを上下方向移動自在に設け、このストッパは最下階の床面又は床面の周辺に設けられたストッパ穴に挿入されることを特徴とするエレベータ装置。
【請求項２】
最下階の床面又は床面の周辺に設けられたストッパ穴に、ストッパ下端に当接して、エレベータピット内作業の安全を確保するためのピット内安全回路を遮断するピット内補助スイッチを設けたことを特徴とする請求項１記載のエレベータ装置。
【請求項３】
エレベータピット内に、エレベータピット内作業の安全を確保するためのピット内安全回路を遮断するピット内安全スイッチを設けたことを特徴とする請求項１または２記載のエレベータ装置。
【発明の詳細な説明】
【技術分野】
【０００１】
本発明は、エレベータピット上の最下階に設けられた一対の乗場ドアパネルを有するエレベータ装置に係り、とりわけエレベータピット内作業を安全に行うことができるエレベータ装置に関する。
【背景技術】
【０００２】
従来より、図４に示すように、エレベータピット１１０上の最下階１１１に設けられた一対の乗場ドアパネル１０１を有するエレベータ装置１００が知られている。
【０００３】
図４において、最下階１１１には一対の出入口枠１０４が設けられ、一対の乗場ドアパネル１０１はこの一対の出入口枠１０４間に移動自在に配置されている。またエレベータピット１１０のうち、一対の乗場ドアパネル１０１側からみて右手側壁または左手側壁１１０ａには、ピット部１０５ａと突出部１０５ｂとを有するピット梯子１０５が設けられている。
【０００４】
ところで、ピット梯子１０５はエレベータピット１１０から上方へ突出する（６００ｍｍ）突出部１０５ｂを有するため、ピット梯子１０５を一対の乗場ドアパネル１０１側の側壁に設置できない。このため、ピット梯子１０５はエレベータピット１１０のうちエレベータの乗りかごと干渉しない一対の乗場ドアパネル側からみて右手側壁または左手側壁１１０ａに設けられている。
【０００５】
さらに、一対の出入口枠１０４とピット梯子１０５との間に位置するエレベータピット１１０の側壁１１０ａには、ピット安全スイッチ１０２が設けられている。
【０００６】
図４において、作業者がエレベータピット１１０内に入ってピット内作業を行う場合、まず作業者は最下階１１１において、一対の乗場ドアパネル１０１のドアロックを解除キーにより解除し、一対の乗場ドアパネル１０１を開く。次に作業者はドアストッパ１０３にて一方の乗場ドアパネル１０１を固定し、次にピット安全スイッチ１０２を作動させる。
【０００７】
その後、作業者は一対の出入口枠１０４につかまりながら体勢を保ち、ピット梯子１０５の突出部１０５ｂにつかまりながらピット梯子１０５のピット部１０５ａに乗り移る。その後、作業者はピット梯子１０５のピット部１０５ａを降りて、エレベータピット１１０内に入り、ピット内作業を行う。
【先行技術文献】
【特許文献】
【０００８】
【特許文献１】特開２００８−２４４０９号公報
【特許文献２】特開２００２−１７３２７６号公報
【発明の概要】
【発明が解決しようとする課題】
【０００９】
上述のように、ピット内作業を行う作業者は、最下階１１１においてピット安全スイッチ１０２を作動させ、次に一対の出入口枠１０４につかまりながら体勢を保ち、その後ピット梯子１０５の突出部１０５ｂにつかまりながらピット梯子１０５に乗り移る。その後作業者はピット梯子１０５のピット部１０５ａを伝ってエレベータピット１１０内へ入る。
【００１０】
しかしながら、作業者がピット梯子１０５に乗り移る際、作業者の体勢が不安定となってバランスを崩す場合があり、とても危険である。
【００１１】
本発明はこのような点を考慮してなされたものであり、作業者が安全にエレベータピット内に入ってピット内作業を安全に行うことができるエレベータ装置を提供することを目的とする。
【課題を解決するための手段】
【００１２】
本発明は、エレベータピット上の最下階に設けられた一対の乗場ドアパネルと、前記一対の乗場ドアパネル側のエレベータピット側壁に設けられたピット梯子とを備え、少なくとも一方の乗場ドアパネル裏面に、垂直方向に延びる専用手摺りを設置し、乗場ドアパネル裏面に設けられた専用手摺りの下部に、ストッパを上下方向移動自在に設け、このストッパは最下階の床面又は床面の周辺に設けられたストッパ穴に挿入されることを特徴とするエレベータ装置である。
【００１４】
本発明は、最下階の床面又は床面の周辺に設けられたストッパ穴に、ストッパ下端に当接して、エレベータピット内作業の安全を確保するためのピット内安全回路を遮断するピット内補助スイッチを設けたことを特徴とするエレベータ装置である。
【００１５】
本発明は、エレベータピット内に、エレベータピット内作業の安全を確保するためのピット内安全回路を遮断するピット内安全スイッチを設けたことを特徴とするエレベータ装置である。
【発明の効果】
【００１６】
以上説明したように、最下階からエレベータピット内に入る場合、作業者はまず一対の乗場ドアパネルを開く。次に作業者は乗場ドアパネル裏面の専用手摺りにつかまりながら、乗場ドアパネル側の側壁に設けられたピット梯子を伝って降り、エレベータピット内に入る。このため作業者は安全にエレベータピット内に入って、ピット内作業を行うことができる。
【図面の簡単な説明】
【００１７】
【図１】図１（ａ）は本発明によるエレベータ装置の一実地の形態を示す側面図であり、図１（ｂ）は最下階の底面に設置された乗場敷居を示す図である。
【図２】図２（ａ）は乗場ドアパネルの裏面を示す詳細図であり、図２（ｂ）はその側面図である。
【図３】図３は本発明によるエレベータ装置の一実施の形態の作用を示す図である。
【図４】図４は従来のエレベータ装置を示す斜視図である。
【発明を実施するための形態】
【００１８】
以下、図面を参照して本発明によるエレベータ装置の実施の形態について説明する。
【００１９】
図１乃至図３は、本発明によるエレベータ装置の一実地の形態を示す図である。
【００２０】
図１および図２に示すように、エレベータ装置１００は、エレベータピット１１０上の最下階１１１に設けられた一対の出入口枠１０４と、一対の出入口枠１０４間において水平方向に移動自在に設けられた一対の乗場ドアパネル５ａ，５ｂとを備えている。
【００２１】
このうち一対の乗場ドアパネル５ａ，５ｂは、最下階１１１の床面１１１ａの周辺に設けられた乗場敷居３上を移動する。
【００２２】
またエレベータピット１１０のうち、一対の乗場ドアパネル５ａ，５ｂ側の側壁１１０Ａに、ピット梯子８が設けられ、このピット梯子８は側壁１１０Ａにアンカーボルト８ａにより堅固に固定されている。このピット梯子８は開状態の一対の乗場ドアパネル５ａ，５ｂ間の中央に位置している。
【００２３】
また各乗場ドアパネル５ａ，５ｂの裏面には、一対の裏面補強部７ａ，７ｂが上下方向に設けられており、各乗場ドアパネル５ａ，５ｂの裏面には、この一対の裏面補強部７ａ，７ｂに支持された専用手摺り１ａ，１ｂが垂直方向に配置されている。この場合、各専用手摺り１ａ，１ｂはいずれも空洞の丸パイプ製となっている。
【００２４】
さらに一方の乗場ドアパネル５ａに設けられた専用手摺り１ａ下部には、専用手摺り１ａ内に配置された円筒状ストッパ２が設けられ、このストッパ２は専用手摺り１ａ内で上下方向に摺動自在となっている。
【００２５】
ところで専用手摺り１ａ，１ｂを、乗場ドアパネル５ａ，５ｂのいずれか、例えば一方の乗場ドアパネル５ａのみに設けてもよい。
【００２６】
また、最下階１１１の床面１１１ａの周辺に設置された乗場敷居３には、ストッパ２が挿入されてストッパ２を係止するストッパ穴（塵落とし穴）３ａが設けられ、さらにこのストッパ穴３ａにはストッパ２の下端が当接して作動するマイクロスイッチ（ピット内補助スイッチ）６ａが設けられている。マイクロスイッチ６ａは、エレベータピット１１０の側壁１１０Ａに設置されたブラケット６ｂに、ビス６ｃにより固定される。
【００２７】
またマイクロスイッチ６ａは、マイクロスイッチケーブル６ｄを介してピット内安全回路（図示せず）に接続されている。
【００２８】
ところで、エレベータピット１１０内には、エレベータピット内作業（ピット内作業ともいう）の安全を確保するためのピット内安全回路を遮断するピット内安全スイッチ１０２が設けられている。このピット内安全回路は、エレベータピット内作業を行う際に遮断され、このピット内安全回路の遮断により図示しないエレベータ乗りかごおよびつり合いおもりが停止する。
【００２９】
本実施の形態においては、ピット内安全スイッチ１０２に加えて上述のようにマイクロスイッチ（ピット内補助スイッチ）６ａを設けることにより、ピット内安全スイッチ１０２による動作あるいはマイクロスイッチ６ａによる動作のいずれか一方の動作によりピット内安全回路を遮断することができ、より確実にピット内安全回路を遮断することができる。
【００３０】
次にこのような構成からなる本実施の形態の作用について、図３により説明する。
【００３１】
まず作業者が一対の乗場ドアパネル５ａ，５ｂを開ける（ＳＴ１）。次に作業者はストッパ２を一方の乗場ドアパネル５ａの専用手摺り１ａに係止していた係止具２ａを解除して、ストッパ２を専用手摺り１ａ内で下方へ摺動させ、ストッパ２をストッパ穴３ａ内に挿入する（ＳＴ２）。
【００３２】
このようにして、ストッパ２により一方の乗場ドアパネル５ａを乗場敷居３に固定する。この場合、他方の乗場ドアパネル５ｂは、一方の乗場ドアパネル５ａに連動して動作するため、一方の乗場ドアパネル５ａを固定することにより他方の乗場ドアパネル５ｂも固定される。
【００３３】
一方の乗場ドアパネル５ａのストッパ２をストッパ穴３ａ内に挿入した場合、ストッパ２の下端がマイクロスイッチ６ａに当接して、マイクロスイッチ６ａを自動的に動作させ、ピット内安全回路を遮断させる（ＳＴ３）。
【００３４】
次に作業者は、一対の乗場ドアパネル５ａ，５ｂの裏面に設けられた専用手摺り１ａ，１ｂをつかみながら、ピット梯子８を降りてエレベータピット１１０内に入る。この場合、ピット梯子８は、開状態の一対の乗場ドアパネル５ａ，５ｂ間の中央に位置しているため、作業者はスムーズにピット梯子８を降りていくことができる（ＳＴ４）。
【００３５】
次に作業者は、エレベータピット１１０のうち、一対の乗場ドアパネル５ａ，５ｂからみて右手側壁または左手側壁１１０ａに設けられているピット内安全スイッチ１０２を動作させる（ＳＴ５）。このピット内安全スイッチ１０２は、マイクロスイッチ６ａとともに、並列または直列にピット内安全回路を遮断させることができ、作業者はエレベータピット１１０内に降りた後、ピット内安全スイッチ１０２を動作させることができる。このため作業者は安定した姿勢でピット内安全スイッチ１０２を動作させることができる。
【００３６】
また、マイクロスイッチ６ａおよびピット内安全スイッチ１０２の双方を動作させることにより、ピット内安全回路を遮断するので、例えばマイクロスイッチ６ａおよびピット内安全スイッチ１０２のうち一方の動作が不十分で、ピット内安全回路を確実に遮断することができない場合であっても、他方の動作によりピット内安全回路を安全に遮断することができる。
【００３７】
その後作業者は、ストッパ２をストッパ穴３ａから引き抜いて持上げ、係止具２ａによりストッパ２を専用手摺り１ａに固定する。次に作業者は一対の乗場ドアパネル５ａ，５ｂを閉状態とする（ＳＴ６）。次に作業者は、エレベータピット１１０内において、ピット内作業を開始する。
【００３８】
以上説明したように、本実施の形態によれば、最下階１１１からエレベータピット内に入る場合、作業者はまず一対の乗場ドアパネル５ａ，５ｂを開く。次に作業者は各乗場ドアパネル５ａ，５ｂ裏面の専用手摺り１ａ，１ｂにつかまりながら、乗場ドアパネル５ａ，５ｂ側のエレベータピット１１０の側壁１１０Ａに設けられたピット梯子８を伝って降り、エレベータピット１１０内に入る。このため作業者は安全にエレベータピット１１０内に入って、ピット内作業を行うことができる。
【符号の説明】
【００３９】
１ａ，１ｂ  専用手摺り
２  ストッパ
３  乗場敷居
３ａ  ストッパ穴
６ａ  ピットマイクロスイッチ
７ａ，７ｂ  裏面補強部
８  ピット梯子
１００  エレベータ
１１０  エレベータピット
１１０Ａ  側壁
１１１  最下階
１１１ａ  床面
【図１】
0005483681.tif 000002
【図２】
0005483681.tif 000003
【図３】
0005483681.tif 000004
【図４】
0005483681.tif 000005